(57)【要約】【課題】  布帛に形成した白色インクジェット画像に、十分な視認性を与えると共に、強固な洗濯堅牢性を付与するインクジェット画像形成方法を提供する。【解決手段】  白色顔料として中空状ポリマー微粒子を含有するインクジェット用白色インクを用いてインクジェット記録方法により布帛に白色インクジェット画像を形成する方法であって、インクジェット記録方法による布帛への印字を複数回重ね、かつ複数回印字を重ねる間に少なくとも１回仮加熱定着を行い、最終回の印字後に本加熱定着を行う。【選択図】  図１
2005161583.tif 000002
【特許請求の範囲】
【請求項１】
白色顔料として中空状ポリマー微粒子を含有するインクジェット用白色インクを用いてインクジェット記録方法により布帛に白色インクジェット画像を形成する方法であって、
インクジェット記録方法による布帛への印字を複数回重ね、かつ複数回印字を重ねる間に少なくとも１回仮加熱定着を行い、最終回の印字後に本加熱定着を行う白色インクジェット画像形成方法。
【請求項２】
水性樹脂エマルジョン３〜６０重量％（固形分）、中空状ポリマー微粒子３〜３０重量％（固形分）、及び水系溶剤を含有するインクジェット用白色インクを使用する請求項１記載の白色インクジェット画像形成方法。
【請求項３】
仮加熱定着を、１８０〜２００℃の温風を５〜４０秒間吹き付けることにより行い、本加熱定着を１５０〜２００℃で１０〜６０秒間ホットプレスすることにより行う請求項１又は２記載の白色インクジェット画像形成方法。
【請求項４】
初回印字に対して印字を１〜４回重ねる場合に、(1)初回印字後、(2)初回印字後と２回目印字後、又は(3)初回印字後と２回目印字後と３回目印字後に仮加熱定着を行う請求項１〜３のいずれかに記載の白色インクジェット画像形成方法。
【請求項５】
布帛を載置する載置台、白色顔料として中空状ポリマー微粒子を含有するインクジェット用白色インクを吐出するインクジェットヘッド、インクジェットヘッドを載置台に対して相対的に主走査方向に移動させるキャリッジ、キャリッジを載置台に対して相対的に主走査方向と交差する副走査方向に移動させる搬送手段、及び載置台に載置された布帛を温度１８０〜２００℃に加熱する仮加熱定着用加熱手段を備えたインクジェット画像形成装置。
【請求項６】
仮加熱定着用加熱手段が、載置台に載置された布帛に１８０〜２００℃の温風を吹き付けるヒートガンからなる請求項５記載のインクジェット画像形成装置。
【請求項７】
仮加熱定着用加熱手段が、載置台に載置された布帛に波長３〜１０μｍの遠赤外線を照射する遠赤外線照射手段からなる請求項５記載のインクジェット画像形成装置。
【請求項８】
仮加熱定着用加熱手段として、載置台が該載置台に載置された布帛を１８０〜２００℃に加熱するホットプレートからなる請求項５記載のインクジェット画像形成装置。
【発明の詳細な説明】
【技術分野】
【０００１】
本発明は、布帛へ視認性に優れた白色のインクジェット画像を形成する方法と装置に関する。
【背景技術】
【０００２】
一般に、隠蔽性の高い白色顔料として二酸化チタン（ＴｉＯ2 ）が知られている。しかしながら、二酸化チタンは比重が４．２程度と重い。そのため、これをインクジェット用白色インクの顔料として使用すると、インクを放置しておく間に顔料が沈降する。この顔料の沈降防止策を講ずることは困難であり、これまでのところ、二酸化チタンを用いたインクに十分な分散安定性を付与することはできていない。
【０００３】
インク中の顔料の沈降現象がインクジェットヘッド内部のインク流路で発生すると、インク詰まりによる吐出不良が生じる。また、二酸化チタンはセラミックであるため、非常に硬く、不必要にインクジェットヘッドのノズル部分を削ってしまう。
【０００４】
そこで、インクジェット用白色インクの顔料として、二酸化チタンに代えて、中空状ポリマー微粒子を使用することが提案されている（特許文献１、特許文献２）。中空状ポリマー微粒子は、比重が１に近く、沈降し難いため、顔料の沈降によるインク詰まりの問題が解消される。
【０００５】
【特許文献１】特許２６１９６７７号公報
【特許文献２】特開平２０００−１０３９９５号公報
【発明の開示】
【発明が解決しようとする課題】
【０００６】
しかしながら、白色顔料として中空状ポリマー微粒子を含有するインクジェット用白色インクを用いても、従来のインクジェット記録方法で黒色Ｔシャツ生地等の濃色布帛に印字物を形成した場合には、布帛は紙やフィルムに比してインクの浸透量が極端に多いため、印字物の視認性が極めて悪いという問題が生じる。
【０００７】
加えて、布帛への印字物には、高い洗濯堅牢性が必要であるが、この点についても、従来のインクジェット記録方法では要求特性を満足させることができない。
【０００８】
そこで、本発明は、布帛に形成したインクジェット画像である印字物に、十分な視認性を与えると共に、強固な洗濯堅牢性を付与する新たなインクジェット画像形成方法を提供すること、及びその方法に使用する装置を提供することを目的とする。
【課題を解決するための手段】
【０００９】
本発明者は、中空状ポリマー微粒子を白色顔料とするインクジェット用白色インクを用いて濃色布帛にインクジェット記録方法で印字するにあたり、印字を複数回重ねることにより印字物を形成し、かつ印字を重ねる間に仮加熱定着を行うと、濃色布帛における白色印字物の視認性が顕著に向上し、また、強固な洗濯堅牢性を得られること、特にこの仮加熱定着を、温風装置、遠赤外線照射手段等を用いて布帛に非接触に行うと、複数回重ねる印字の位置ズレを防止できることを見出した。
【００１０】
即ち、本発明は、白色顔料として中空状ポリマー微粒子を含有するインクジェット用白色インクを用いてインクジェット記録方法により布帛に白色インクジェット画像を形成する方法であって、
インクジェット記録方法による布帛への印字を複数回重ね、かつ複数回印字を重ねる間に少なくとも１回仮加熱定着を行い、最終回の印字後に本加熱定着を行う布帛への白色インクジェット画像形成方法を提供する。
【００１１】
また、本発明は、上述の白色インクジェット画像形成方法に使用する装置として、布帛を載置する載置台、白色顔料として中空状ポリマー微粒子を含有するインクジェット用白色インクを吐出するインクジェットヘッド、インクジェットヘッドを載置台に対して相対的に主走査方向に移動させるキャリッジ、キャリッジを載置台に対して相対的に、主走査方向と交差する副走査方向に移動させる搬送手段、及び載置台に載置された布帛を温度１８０〜２００℃に加熱する仮加熱定着用加熱手段を備えたインクジェット画像形成装置を提供する。
【発明の効果】
【００１２】
本発明の白色インクジェット画像形成方法によれば、白色顔料として中空状ポリマー微粒子を含有するインクジェット用白色インクを使用して、インクジェット記録方法により布帛に複数回の印字を重ね、かつ、複数回印字を重ねる間に少なくとも１回仮加熱定着を行い、最終回の印字後に本加熱定着を行うので、布帛に視認性に優れた白色画像を形成することができ、特に、黒、紺、青、茶等の濃色の布帛に鮮明に白色画像を形成することが可能となる。また、これにより、白色画像の印字物に強固な洗濯堅牢性を付与することが可能となる。
【００１３】
本発明の白色インクジェット画像形成装置によれば、上述の本発明の白色インクジェット画像形成方法を容易に実施することが可能となる。特に、このインクジェット画像形成装置は、布帛を載置する載置台と、載置台に対して移動するインクジェットヘッドと、載置台に載置された布帛を温度１８０〜２００℃に加熱する仮加熱定着用加熱手段を備えているので、複数回の印字と仮加熱定着を行う間に布帛を載置台から取り外すことが不要となる。そのため、印字と仮加熱定着を繰り返しても、印字物における白色画像の位置ズレを防止することができる。
【発明を実施するための最良の形態】
【００１４】
以下、本発明を詳細に説明する。
【００１５】
本発明の白色インクジェット画像形成方法では、白色顔料として中空状ポリマー微粒子を含有するインクジェット用白色インクを使用する。
【００１６】
この中空状ポリマー微粒子としては、特許文献１、特許文献２等に記載されている、従来よりインクジェット用白色インクに使用されているものを使用することができる。即ち、中空状ポリマー微粒子としては、内部に空隙を有する、高度に架橋されたポリマーからなり、インクの水系媒体に不溶で、インクのバインダー樹脂とも化学的に反応しない、耐熱性、耐溶剤性に優れたものを使用することが好ましい。中空状ポリマー微粒子の粒子径は、外径が約０．１〜１μｍ、内径が約０．０５〜０．８μｍのものを使用することができる。この中空状微粒子は、乾燥により粒子内部の水が消失し、粒子内部が空孔となると、ポリマー層と内部の空気により光散乱を起こし、隠蔽効果を発揮する。
【００１７】
中空状ポリマー微粒子としては市販のものを使用することができ、例えば、ＪＳＲ社ＳＸ８６６（Ａ）、同社ＳＸ８６６（Ｂ）、ローム・アンドハース社ＯＰ−６２等を挙げることができる。
【００１８】
インクジェット用白色インクにおける中空状ポリマー微粒子の含有量は３〜３０重量％（固形分）とすることが好ましい。中空状ポリマー微粒子の含有量が少なすぎると、印字物における白色画像の視認性が低下し、反対に多すぎるとインクの粘度上昇、構造粘性の出現によりインクジェットヘッドのノズルの目詰まりやインクの吐出不良が生じるので好ましくない。
【００１９】
本発明で使用するインクジェット用白色インクは、上述の中空状ポリマー微粒子の他、水性樹脂エマルジョン３〜６０重量％（固形分）と水系溶剤を含有するものが好ましい。
【００２０】
水性樹脂エマルジョンは、中空状ポリマー微粒子の分散剤、あるいは中空状ポリマー微粒子を布帛に定着させるバインダーとして配合する。水性樹脂エマルジョンとしては、従来よりインクジェットインクに使用されているものを使用することがき、例えば、アクリル樹脂エマルジョン、スチレン／無水マレイン酸共重合体樹脂エマルジョン、ウレタン樹脂エマルジョン、酢酸ビニル樹脂エマルジョン、酢酸ビニル／アクリル共重合体樹脂エマルジョン、酢酸ビニル／エチレン共重合体樹脂エマルジョン等をあげることができる。中でも、布帛にインクジェット画像を形成した後に、仮加熱定着又は本加熱定着を行うことにより、中空状ポリマー微粒子の定着性を向上させるため、水性樹脂エマルジョンを形成する樹脂としては、ガラス転移点Ｔｇが４０℃以下のものが好ましく、より具体的にはアクリル系樹脂エマルジョンが好ましい。
【００２１】
水性樹脂エマルジョンを構成する樹脂微粒子の平均体積粒径は１０〜１００ｎｍ、特に１０〜５０ｎｍとすることが好ましい。水性樹脂エマルジョンの性状には、特に制限はなく、アニオン性、カチオン性、ノニオン性等を使用することができる。また、マイクロエマルジョン、グロスエマルジョン、反応型エマルジョン、常温架橋型エマルジョン、２層構造エマルジョン等のいずれであってもよい。
【００２２】
水性樹脂エマルジョンの配合量は、少なすぎると印字物における白色画像の定着性が低下し、反対に多すぎるとインクの粘度が上がって吐出不良が生じやすくなるので、３〜６０重量％（固形分）とすることが好ましい。
【００２３】
水系溶剤としては、低揮発性水可溶性溶媒と水を使用することが好ましい。低揮発性水可溶性溶媒は、インクジェットヘッドのノズルにおけるインクの乾燥を抑制し、インク詰まりを防止するもので、例えば、グリセリン、ジエチレングリコール、プロピレングリコール、プロピレングリコールモノブチルエーテル、プロピレングリコールモノプロピルエーテル、ジプロピレングリコールモノブチルエーテル、ジプロピレングリコールモノプロピルエーテル、トリプロピレングリコールモノブチルエーテル等から選ばれる１種又は複数種を使用することが好ましい。
【００２４】
低揮発性水可溶性溶媒のインクにおける配合量は、１０〜８４重量％とすることが好ましい。低揮発性水可溶性溶媒の配合量が少なすぎると、低揮発性水可溶性溶媒の添加効果がなく、多すぎると、低揮発性水可溶性溶媒は高粘度のため、インクの粘度が上昇して吐出不良が生じ、また熱定着性が低下して洗濯堅牢度を高めることが難しいので好ましくない。
【００２５】
インクジェット用白色インクには、さらに必要に応じて、水溶性高分子等の分散剤、界面活性剤、ｐＨ調整剤、消泡剤、防腐剤等の添加剤を含有させることができる。
【００２６】
本発明で使用するインクジェット用白色インクは、上述した成分をボールミル、サンドミル、アトライター、ロールミル、アジテーターミル、ヘンシェルミキサー、コロイドミル、超音波ホモジナイザー、パーミル、ジェットミル、オングミル、メカヒュージョン（ホソカワミクロン社）等を用いて分散させ、必要により遠心分離、濾過等で粗大粒子を除去して顔料の分散液を得ればよい。
【００２７】
こうして、本発明で使用するインクジェット用白色インクとしては、粘度２０ｃｐｓ以下、表面張力２５〜４５ｍＮ／ｍのインクを調製することが好ましい。
【００２８】
本発明の白色インクジェット画像形成方法では、中空状ポリマー微粒子を含有するインクジェット用白色インクを用いて、インクジェット記録方法により布帛への印字を複数回重ね、かつ複数回印字を重ねる間に少なくとも１回仮加熱定着を行い、最終回の印字後に本加熱定着を行うことを特徴としている。
【００２９】
ここで、布帛とは、織物、編み物、不織布等をあげることができる。布帛の構成繊維については特に制限はなく、綿、絹、麻、羊毛等の天然繊維、ポリアミド、ポリエステル、アクリル等の合成繊維、レーヨン、アセテート等の再生、半合成繊維、あるいはこれらの混紡繊維等をあげることができる。なかでも、高いニーズのある綿１００％のＴシャツ生地（天竺）をあげることができる。
【００３０】
布帛の色は、白色画像を一層きわだたせるため、黒、紺、青、茶等の濃色とすることが好ましい。
【００３１】
インクジェット記録方法の方式には制限はなく、プリンターヘッドに圧電素子を用いたピエゾ方式、熱エネルギーによるインクの急激な体積変化によりインクを吐出させるサーマル方式等とすることができる。また、インクジェットヘッドの構成としては、シリアルタイプ、ラインタイプのいずれも使用することができる。
【００３２】
インクジェット記録方法による布帛への印字を複数回繰り返し重ねることにより、インクジェット画像を形成するにあたり、その印字の繰り返し回数は、布帛の種類、印字物に必要とされる視認性の程度等に応じて適宜定めることができるが、例えば、綿１００％のＴシャツ生地（天竺）、綿とポリエステルの混紡生地等の場合、２〜８回とすることが好ましい。
【００３３】
複数回印字を重ねる間には、少なくとも１回仮加熱定着を行う。仮加熱定着は、指で印字面を押した場合に、指にインクが付着しない程度にインクを加熱乾燥させる操作をいう。この仮加熱定着は、ヒートロール等を布帛の非印字面から接触させる等の方法によることもできるが、複数回重ねて印字する白色画像の位置ズレを防止する点から、布帛に非接触で加熱することが好ましく、さらに、温度調整が容易で、また、布帛をインクジェット画像形成装置に装着したまま仮加熱定着できるようにする点から、１８０〜２００℃程度の温風を布帛の印字面近傍から印字物排出方向へ吹き付けることのできる温風加熱装置を使用することが好ましい。この温風温度が１８０℃未満だと乾きにくい場合があり、反対に２００℃を超えると布帛が焦げる可能性が生じるので好ましくない。
【００３４】
温風加熱装置としては、具体的には、ヒートガン、ドライヤー等を使用することができ、中でも、５〜４０秒という短時間で仮加熱定着を行える点からヒートガンを使用することが好ましい。
【００３５】
この他、仮加熱定着用加熱手段としては、載置台に載置された布帛に波長３〜１０μｍの遠赤外線を照射する遠赤外線照射手段を採用したり、布帛が載置される載置台そのものをホットプレートにすること等により、布帛を１８０〜２００℃に直接加熱することができる。
【００３６】
仮加熱定着は、複数回重ねる印字の各回後の全てに行う必要はなく、例えば、初回印字に対して印字を１〜４回重ねる場合に、(1)初回印字後、(2)初回印字後と２回目印字後、又は(3)初回印字後と２回目印字後と３回目印字後に仮加熱定着を行うことにより、最終的な印字物のホワイトインデックスを３０以上の高い値に高めることができる。
【００３７】
所定回数印字を繰り返した後は、本加熱定着を行う。本加熱定着は、バインダー成分が成膜し、布帛に十分に付着する程度にインクを加熱乾燥させる操作をいう。
【００３８】
本加熱定着後には重ね印字を行わないため、本加熱定着は、画像形成装置から布帛を取り外して行ってもよい。
【００３９】
本加熱定着を行う具体的な方法としては、ホットプレス、コンベアオーブン等により、１５０〜２００℃で１０〜６０秒間加熱する方法をあげることができる。
【００４０】
図１は、本発明の白色インクジェット画像形成方法の実施に使用することのできる本発明のインクジェット画像形成装置の一つの態様の正面図、図２はその平面図である。
【００４１】
このインクジェット画像形成装置１は、シリアルタイプのインクジェットヘッド２を備えたもので、枠状のフレーム３と、該フレーム３上に水平に支架されたスライドレール４と、スライドレール４の長手方向（主走査方向）に沿って摺動自在に移動するキャリッジ５を有する。インクジェットヘッド２としては、４色（例えば、ホワイト、イエロー、マゼンタ、シアン）のインクを吐出させるために各色毎に配設されたピエゾ式のものが、キャリッジ５に取り付けられている。また、フレーム３の外側には、インクジェットヘッド２に連通するインクタンク６の搭載部７が設けられている。
【００４２】
フレーム３の垂直部には一対のプーリー８が設けられ、一対のプーリー８の間に無端ベルト９が架けられ、この無端ベルト９にキャリッジ５が取り付けられている。また、一方のプーリー８にはキャリッジモーター１０が連結されている。
【００４３】
したがって、キャリッジモーター１０を駆動させることにより、キャリッジ５に取り付けられたインクジェットヘッド２が主走査方向に移動する。
【００４４】
一方、フレーム３内には、布帛を載置し、着脱自在に固定する載置台２０が設けられている。載置台２０の上面２０ａは、平坦な作業面となっている。また、この載置台２０は、主走査方向と垂直に交差する副走査方向に延びた一対のレールからなるスライド機構２１の上に摺動可能に取り付けられたスライド基板２２上に支柱２３により固設されている。スライド機構２１の一端には、載置台モーター２４が設けられ、この載置台モーター２４に連結した搬送機構により、載置台２０を副走査方向に移動できるようにしている。
【００４５】
さらに、フレーム３には、載置台２０に載置された布帛に、１８０〜２００℃の温風を吹き付けることを可能とする温風加熱装置として、ヒートガン３０が取り付けられている。
【００４６】
インクジェット画像形成装置１の前面には、この装置によるインクジェット記録のオン、オフを行うスイッチ１１ａやヒートガン３０の作動のオン、オフを行うスイッチ１１ｂを配設した操作パネル１１が設けられている。
【００４７】
このインクジェット画像形成装置１を用いて布帛に白色インクジェット画像を形成する方法としては、まず、１つのインクタンク６に、前述の中空状ポリマー微粒子を含有するインクジェット用白色インクを充填する。
【００４８】
次いで、載置台２０に布帛（例えば、濃色のＴシャツ）をシワを伸ばした状態で載置し、固定する。
【００４９】
そして操作パネル１１のスイッチ１１ａを操作することにより、インクジェットヘッド２が取り付けられているキャリッジ５を主走査方向に往復移動させると共に、載置台２０を副走査方向に移動させ、インクジェットヘッド２から白色インクジェット用インクを吐出させることにより、白色インクジェット画像を形成する。この白色インクジェット画像の形成に伴って、載置台２０は、図２に矢印で示したように、スライド機構２１上を操作パネル１１側から載置台モーター２４側に徐々に移動する。そして、初回の印字が終了すると、再び操作パネル１１側の当初の位置に戻る。
【００５０】
この載置台が当初の位置に徐々に戻る間にヒートガン３０のスイッチ１１ｂを操作すると、初回の印字が終了した布帛に対して、ヒートガン３０が載置台２０に対して相対的に副走査方向に移動しつつ、１８０〜２００℃の温風を５〜４０秒間吹き付ける。従って、印字後の布帛全体に対して仮加熱定着が行われることとなる。
【００５１】
その後、同様の白色インクジェット画像を上述の白色インクジェット画像に重ねて印字するインクジェット記録と、仮加熱定着を必要回数行う。
【００５２】
最終回の印字を終了した後は、載置台から布帛を取り外し、別個の加熱装置で本加熱定着を行う。
【００５３】
以上、本発明の白色インクジェット画像形成方法の実施に使用する本発明のインクジェット画像形成装置の一態様について図面を参照しつつ説明したが、本発明のインクジェット画像形成装置は、この図示した態様に限られない。
【００５４】
例えば、載置台２０を載置台モーター２４で駆動することにより副走査方向に移動させるのに代えて、インクジェットヘッド２を取り付けたキャリッジ５を副走査方向に移動させるようにしてもよい。
【実施例】
【００５５】
実施例１〜５、比較例１、２
（１）インクの調製
次の表１、表２の成分をそれぞれ混合することにより、インクジェット用白色インク１及び白色インク２を調製した。得られたインクの物性値を同表に示す。
【００５６】
［表１］
白色インク１
2005161583.tif 000003
【００５７】
［表２］
白色インク２
2005161583.tif 000004
【００５８】
（２）濃色布帛への印刷と評価
（１）で得た白色インク１又は白色インク２を図１のヒートガンを備えたインクジェット画像形成装置にセットし、黒色布帛（１００％綿天竺）にベタ画像を表３〜表９に示すように、重ね印字すると共に仮加熱定着を行い、その後本加熱定着をした（実施例１〜５、比較例１、２）。
【００５９】
この場合、仮加熱定着は、インクジェット画像形成装置に備えたヒートガンにより、１８０℃の熱風を１０秒間吹き付けることにより行った。また、本加熱定着は、インクジェットプリンタから布帛を外し、ホットプレスにて１８０℃で３０秒間加熱することにより行った。
【００６０】
印字後（印字後に仮加熱定着又は本加熱定着を行った場合には、仮加熱定着又は本加熱定着後）に、印字物の反射濃度（ＯＤ値）を濃度計（マクベスＲＤ−９１４）で測定し、また、測色計（ミノルタＣＭ２００２）でＬ*ａ*ｂ* 表色系のＬ*値、ａ*値、ｂ*値をそれぞれ求め、次式によりホワイトインデックス（W.I.）を算出した。
【００６１】
W.I.＝100−（(100−Ｌ)2＋ａ2＋ｂ2）1/2
なお、このように算出されるホワイトインデックスは、実用上３０以上であることが望まれる。
【００６２】
また、各実施例及び比較例で本加熱定着を行った後の布帛を家庭用洗濯洗剤を用いて洗濯し、その洗濯前後の反射濃度を調べた。
これらの結果を表３〜表９に示す。
【００６３】
［表３］
比較例１
印字条件：白色インク１、仮加熱定着なし
2005161583.tif 000005
【００６４】
［表４］
実施例１
印字条件：白色インク１、毎回印字後に仮加熱定着
2005161583.tif 000006
【００６５】
［表５］
実施例２
印字条件：白色インク１、１回印字後のみに仮加熱定着
2005161583.tif 000007
【００６６】
［表６］
実施例３
印字条件：白色インク１、１回印字後と２回印字後に仮加熱定着
2005161583.tif 000008
【００６７】
［表７］
実施例４
印字条件：白色インク１、１回印字後、２回印字後及び３回印字後に仮加熱定着
2005161583.tif 000009
【００６８】
［表８］
比較例２
印字条件：白色インク２、仮加熱定着なし
2005161583.tif 000010
【００６９】
［表９］
実施例５
印字条件：白色インク１、毎回印字後に仮加熱定着
2005161583.tif 000011
【００７０】
これらの結果から、重ね印字をする間に仮加熱定着を全くしない比較例１（表３）と比較例２（表８）に比して、重ね印字をする間に仮加熱定着を行う実施例１〜５によれば、ホワイトインデックスが向上すること、特に、印字を５回重ねる間に、少なくとも初回印字後と２回目印字後に仮加熱定着を行うと、ホワイトインデックスが大きく向上し、本加熱定着後にホワイトインデックスが、実用上望ましいとされる３０以上になることがわかる。
【００７１】
また、本発明の各実施例の印字物は、本加熱定着後に洗濯の前後で反射濃度が変わらず、洗濯堅牢性が非常に良好であることがわかる。
【産業上の利用可能性】
【００７２】
本発明の白色インクジェット画像形成方法は、布帛、特に濃色布帛に、白色インクジェット画像を視認性高く形成し、また、その白色インクジェット画像に強固な洗濯堅牢性を付与する場合に有用である。
【図面の簡単な説明】
【００７３】
【図１】本発明の白色インクジェット画像形成方法の実施に使用することのできるインクジェット画像形成装置の正面図である。
【図２】本発明の白色インクジェット画像形成方法の実施に使用することのできるインクジェット画像形成装置の平面図である。
【符号の説明】
【００７４】
１  インクジェット画像形成装置
２  インクジェットヘッド
３  フレーム
４  スライドレール
５  キャリッジ
６  インクタンク
７  インクタンク搭載部
８  プーリー
９  無端ベルト
１０  キャリッジモーター
１１  操作パネル
１１ａ、１１ｂ  スイッチ
２０  載置台
２０ａ  作業面
２１  スライド機構
２２  スライド基板
２３  支柱
２４  載置台モーター
３０  ヒートガン
【図１】
2005161583.tif 000012
【図２】
2005161583.tif 000013